(57)【特許請求の範囲】
【請求項１】
予め設定された周期でデータを送受信する移動局と、基地局と、前記基地局を制御する基地局制御器と、を含む移動通信システムで、前記移動局からの伝送データがない不連続伝送モードで前記基地局から基地局制御器に信号を送信する方法において、
前記不連続伝送モードを確認する過程と、
前記不連続伝送モードが確認されると、その確認の以前の時点で、前記移動局の電力制御のために前記基地局が使用した以前電力制御情報を現在電力制御情報として設定する過程と、
前記現在電力制御情報を含む逆方向制御メッセージを、専用制御チャネルを通して前記基地局制御器に送信する過程と、を含むことを特徴とする方法。
【請求項２】
前記不連続伝送モードを確認する時点で、前記移動局と前記基地局との間で伝送されるデータがある場合、前記以前電力制御情報を前記現在電力制御情報として設定する請求項１記載の方法。
【請求項３】
予め設定された周期でデータを送受信する移動局と、基地局と、前記基地局を制御する基地局制御器と、を含む移動通信システムで、前記移動局からの伝送データがない不連続伝送モードで前記基地局制御器から前記基地局に信号を送信する方法において、
前記不連続伝送モードを確認する過程と、
前記不連続伝送モードが確認されると、前記基地局から最近受信された逆方向制御メッセージに含まれたフレームの種類を確認する過程と、
前記不連続伝送モードで、ナル／アイドルフレームが前記逆方向制御メッセージに含まれている場合、前記移動局の電力制御のための以前電力制御情報を前記移動局の電力制御のための現在電力制御情報として設定する過程と、
前記現在電力制御情報を含む順方向制御メッセージを専用制御チャネルを通して前記基地局に送信する過程と、を含むことを特徴とする方法。
【請求項４】
前記不連続伝送モードで、前記逆方向制御メッセージにイレーザーフレームが含まれている場合、前記移動局の電力を増加させるための前記現在電力制御情報を設定する過程をさらに含む請求項３記載の方法。
【請求項５】
前記逆方向制御メッセージにデータフレームが含まれている場合、前記逆方向制御メッセージに含まれている電力制御情報を前記現在電力制御情報として設定する過程をさらに含む請求項３記載の方法。
【請求項６】
予め設定された周期でデータを送受信する移動局と、基地局と、前記基地局を制御する基地局制御器と、を含む移動通信システムで、前記基地局制御器が前記基地局から受信した信号によって、前記移動局の電力を制御するための情報を決定する方法において、
前記基地局制御器が前記基地局からの逆方向制御メッセージを受信する過程と、
前記受信された逆方向制御メッセージに含まれているフレームの種類を確認する過程と、
フレームの前記種類によって前記移動局の電力を制御するために現在電力制御情報を決定する過程とを含むことを特徴とする方法。
【請求項７】
現在電力制御情報の前記決定は、前記逆方向制御メッセージのフレームが伝送するデータのないナルフレームである場合、前記ナルフレームが受信される前に使用された以前電力制御情報を、前記移動局の電力を制御するための現在電力制御情報として設定することによって実行されることを特徴とする請求項６記載の方法。
【請求項８】
現在電力制御情報の前記決定は、前記逆方向制御メッセージのフレームがイレーザーフレームである場合、前記移動局の電力を増加させるための前記現在電力制御情報を設定することによって実行されることを特徴とする請求項６記載の方法。
【請求項９】
現在電力制御情報の前記決定は、前記逆方向制御メッセージのフレームがアイドルフレームである場合、資源割り当ての初期に定義された電力制御情報を前記現在電力制御情報として設定することによって実行されることを特徴とする請求項６記載の方法。
【請求項１０】
予め設定された周期でデータを送受信する移動局と、基地局と、前記基地局を制御する基地局制御器と、を含む移動通信システムで、前記基地局が前記基地局制御器からの受信信号による前記移動局の電力を制御するための情報を決定する方法において、
前記基地局が前記基地局制御器からの順方向制御メッセージを受信する過程と、
前記受信された順方向制御メッセージに含まれているフレームの種類を確認する過程と、
フレームの前記種類によって前記移動局の電力を制御するために現在電力制御情報を決定する過程とを含むことを特徴とする方法。
【請求項１１】
現在電力制御情報の前記決定は、前記順方向制御メッセージのフレームが伝送するデータのないナルフレームである場合、前記ナルフレームを受信する前に前記移動局の電力制御のために使用された以前電力制御情報を、前記移動局の電力制御のための現在電力制御情報として設定することによって実行されることを特徴とする請求項１０記載の方法。
【請求項１２】
現在電力制御情報の前記決定は、前記順方向制御メッセージのフレームがアイドルフレームである場合、前記順方向制御メッセージに含まれた電力制御情報を前記現在電力制御情報として設定することによって実行されることを特徴とする請求項１０記載の方法。
【請求項１３】
前記順方向制御メッセージのフレームの型がイレーザーフレームである場合、前記移動局の送信電力を増大させるように前記現在電力制御情報を設定する過程をさらに含む請求項１０記載の方法。
【請求項１４】
移動通信システムで、移動局からの伝送データがない不連続伝送（ＤＴＸ）モードで基地局（ＢＴＳ）から基地局制御器（ＢＳＣ）に信号を送信する方法において、
もし前記移動局から前記基地局への逆方向トラフィックがないならば、不連続伝送（ＤＴＸ）モードが検出されたと判断する過程と、不連続伝送（ＤＴＸ）モードが検出されたと判断された場合、
もし前記基地局制御器から最後に受信された順方向制御メッセージがナルフレームでないならば、前記ＤＴＸモードが検出された時点における以前電力制御情報を現在電力制御情報に設定する過程と、
前記現在電力制御情報を前記基地局制御器に送信する過程と
を含むことを特徴とする方法。
【請求項１５】
移動通信システムで、基地局制御器に（ＢＳＣ）おいて、基地局（ＢＴＳ）から受信される信号によって移動局の送信電力を制御するための情報を決定する方法において、
前記基地局制御器において、逆方向制御メッセージを基地局から受信する過程と、
前記逆方向制御メッセージ内の伝送率集合インジケータがナルフレームであるか確認する過程と、
もし前記伝送率集合インジケータがナルフレームであるならば、以前電力制御情報を現在電力制御情報に設定する過程と
を含むことを特徴とする方法。
【発明の詳細な説明】
【０００１】
【発明の属する技術分野】
本発明は、符号分割多重接続(Code Division Multiple Access: 以下、ＣＤＭＡ)方式の移動通信システムに関し、特に、専用制御チャネル(Dedicated Control Channel)と付加チャネル(Supplemental Channel)における不連続伝送(Discontinuous Transmission: ＤＴＸ)モードを基地局システム(Base Station)が支援できるようにする方法に関する。
【０００２】
【従来の技術】
典型的なＣＤＭＡ方式の移動通信システムは、主に音声サービスを提供してきたが、次第に音声サービスだけでなくデータサービスもできるＩＭＴ(International Mobile Telecommunications)−２０００規格まで発展してきた。前記ＩＭＴ−２０００の移動通信システムでは、高品質の音声、動画像、及びインターネット検索などのサービスができる。
【０００３】
前記ＣＤＭＡ移動通信システムは、基地局(Base station Transceiver System: 以下、ＢＴＳ)と基地局制御器(Base Station Controller: 以下、ＢＳＣ)とから構成される基地局システム(Base Station: ＢＳ)と、交換器(Mobile Switching Center: 以下、ＭＳＣ)と、移動局(Mobile Station: 以下、ＭＳ)と、から構成される。前記ＭＳとＢＴＳとの間に存在する無線通信リンクは大分して、ＢＴＳからＭＳに信号を伝送する順方向リンク(Forward Link)と、逆にＭＳからＢＴＳに信号を伝送する逆方向リンク(Reverse Link)と、に分けられる。
【０００４】
全てのチャネルは、物理チャネル(Physical Channel)と、論理チャネル(Logical Channel)と、に分けられる。前記論理チャネルは、物理チャネル上に設定されて、１つの物理チャネルに複数の論理チャネルを設定することができる。もし、物理チャネルの設定が解除されると、この物理チャネルに設定されていた論理チャネルは自動的に解除される。新しい論理チャネルを設定するために必ず物理チャネルを設定する必要があるわけではない。設定しようとする論理チャネルに必要な物理チャネルが、既に他の論理チャネルのために設定されている場合は、既設定された物理チャネルに新しい論理チャネルを割り当てる動作だけで良い。
【０００５】
前記物理チャネルは、前記特性によって専用チャネル(Dedicated Channel)と、共通チャネル(Common Channel)と、に分けられる。前記専用チャネルは、ＢＴＳとＭＳとの通信のために専用に使用するチャネルで、基本チャネル(Fundamental Channel: 以下、ＦＣＨ)と、専用制御チャネル(Dedicated Control Channel: 以下、ＤＣＣＨ)と、付加チャネル(Supplemental Channel: 以下、ＳＣＨ)と、に分けられる。前記ＦＣＨは、音声信号(Voice Signal)と、データ信号(Data Signal)と、制御信号(Signaling Signal)と、を伝送するために使用され、ＴＩＡ／ＥＩＡ−９５−Ｂと互換できる。前記ＤＣＣＨはデータ信号と、制御信号と、を伝送するために使われる。前記ＳＣＨは大容量のデータを伝送するために使われる。前記共通チャネルは、前記物理チャネルの中から前記専用チャネルを除いたチャネルで、ＢＴＳと多数のＭＳが共通で使用するチャネルである。前記ＢＴＳからＭＳに伝送される順方向物理チャネルを呼出チャネル(Paging Channel)と言い、ＭＳからＢＴＳに伝送される逆方向物理チャネルを接近チャネル(Access Channel)と言う。これらの共通チャネルはＩＳ−９５−Ｂと互換できる。
【０００６】
前記移動通信システムにおけるデータ通信の特性は、データの伝送が瞬間集中的に行われて、相対的にデータの伝送が行わない状態が長く持続される休止状態が頻繁に発生することにある。従って、次世代の移動通信システでは、データが伝送される時のみに専用チャネルを割り当てる方式、つまり、ＤＴＸモードが考慮されている。
【０００７】
前記ＤＴＸモードとは、有線システムまたは移動通信システムで、伝送するデータが存在する時のみにフレームデータを伝送するモードである。つまり、前記ＤＴＸモードは、有線システムまたは移動通信システムで、伝送するデータが既設定されている時間の間に存在しない場合はデータを伝送しないモードである。前記ＤＴＸモードを使用する場合、実際データが存在する時のみにフレーム単位のデータを伝送することによって送信電力の最小化が達成でき、システムに及ぼす干渉信号の強度が減少するので、全体システムの容量が増加するなどの利点がある。
【０００８】
しかしながら、送信器からのフレームの伝送が不規則的に行われるので、受信器においてはフレームが伝送されるか否かが分からない。従って、ＢＴＳは順方向電力制御を自主的に行えない。具体的に言うと、ＭＳの受信器において、送信器からフレームが伝送されたか否か正確に判断できない場合、循環冗長コード(Cyclic Redundancy Code: ＣＲＣ)などを含んでいる復号器の判定変数及復号された結果が信頼できなくなる。よって、ＤＴＸモードでは、連続伝送モードで使用される方法と同じ方法を適用しても、ＭＳの電力を正確に制御することができない。
【０００９】
前記ＤＴＸモードは、ＤＣＣＨとＳＣＨで支援される。前記ＤＣＣＨは、伝送するデータが上位から発生した場合のみにデータを伝送するＤＴＸモードを支援する。前記の特徴から、前記ＤＣＣＨは、パケットサービスを効率的に提供するための制御チャネルとして使用されることに適している。このようなＤＴＸ区間で、ＤＣＣＨを通してナル(null)フレームを伝送することによって電力制御ができる。ＳＣＨも、また、伝送するデータのない間には何のデータも伝送しないＤＴＸモードを支援する。このようなＤＴＸ区間で、ＳＣＨを通しては何のフレームも伝送しない。前記ＤＴＸモードは、制限された無線資源、基地局容量、ＭＳの電力消耗などを考慮して、実際データが伝送される時間のみに専用トラフィックチャネル(Dedicated Traffic Channel)と制御チャネル(Control Channel)とを連結し、既設定された時間の間にデータが伝送されない場合は、前記専用チャネルを解放する。前記専用チャネルが解放される場合は、共通チャネルだけを通して通信をするので、無線資源の利用効率が高くなる。前記ＤＴＸモードに対しては、チャネルの割り当ての状況や状態情報の有無などによる多様な状態が必要である。
【００１０】
図１は、通常的なパケットサービスのための移動通信システムの状態遷移図である。
図１を参照すると、前記パケットサービスは、データ伝送状態(Active State)１１と、制御維持状態(Control Hold State)１２と、待機状態(Suspended State)１３と、休止状態(Dormant State)１４と、パケットナル状態(Packet Null State)１５と、初期化状態(Initialization State)１０と、から構成される。この中で前記制御維持状態１２と、前記データ伝送状態１１と、前記待機状態１３と、ではサービスオプションが連結されており、残りの状態ではサービスオプションが連結されていない。また、本発明は、前記データ伝送状態１１と前記制御維持状態１２とで、ＳＣＨとＤＣＣＨとにおけるＤＴＸモードを支援するための基地局システム(ＢＳＣとＢＴＳ)に関連することを確かめておく。
【００１１】
図２は、通常的な移動通信システムのＭＳＣと基地局システムとの間、基地局システムと基地局システムとの間のディジタルエアインターフェース(Digital Air Interface)に対する３Ｇ ＩＯＳ(Interoperability Specifications)の参照モデル(Reference Model)を示す。
【００１２】
図２を参照すると、ＭＳＣ２０とＢＳＣ３２との間の信号はＡ１インターフェースに、使用者情報はＡ２／Ａ５(回線データ専用)インターフェースに定義されている。Ａ３インターフェースは、基地局システムと基地局システムとの間のソフト／ソフタハンドオフ(soft/softer handoff)用として、対象基地局システム(Target BS)４０をソース基地局システム(Source BS)３０のフレーム選択／分配(Frame Selection/Distribution Unit: 以下、ＳＤＵ)機能部３４に連結するために定義される。前記Ａ３インターフェースを通して、対象基地局システム４０とソース基地局システム３０のＳＤＵ機能部３４との間の信号(signaling)及び使用者トラフィック(user traffic)が伝送される。Ａ７インターフェースは、基地局システムと基地局システムとの間のソフト／ソフタハンドオフ用として、対象基地局システム４０とソース基地局システム３０との間の信号送受信のために定義されている。前記ＣＤＭＡ移動通信システムで、基地局システム３０と基地局システム４０との間、基地局システム３０とＭＳＣ２０との間の有線通信リンクは、ＭＳＣ２０から基地局システム３０に伝送される順方向リンクと、逆に基地局システム３０からＭＳＣ２０に伝送される逆方向リンクと、ＭＳＣ２０と基地局システム３０との間を連結するためのラインと、から構成される。前記ＭＳＣ２０は、呼制御(Call Control)及び移動管理(Mobility Management)ブロック２２と、スイッチ２４と、を含む。また、前記ＭＳＣ２０は、インターワーキング機能(Inter Working Function: ＩＷＦ)部５０を通してインターネットのようなデータ網(図示せず)に接続される。
【００１３】
図３は、ＢＳＣ３２(または、４２)からＢＴＳ３６(または、４４)に、ＦＣＨ形態の使用者トラフィックサブチャネルを通して伝送されるメッセージフォーマット(以下、ＦＣＨ順方向メッセージ(または、データフレーム))を示す。
【００１４】
図３に示すメッセージフォーマットは、ＢＴＳに伝送される順方向トラフィックチャネルフレームを伝送するために使用され、メッセージタイプ(Message Type)と、順方向階層３データ(Forward Layer 3 Data)と、メッセージＣＲＣ(Message CRC)と、から構成される情報要素(Information Element)を持つ。前記ＦＣＨ順方向メッセージは、あるＢＳＣと同一な基地局システムに属するＢＴＳとの間に使用されるか、または、前記ＢＳＣと別の基地局システムに属するＢＴＳとの間にも使用されるメッセージである。前記ＦＣＨ順方向メッセージは該当インターフェースによって別の名前を持つ。例えば、ＢＴＳと同一な基地局システムに属するＢＳＣとの間で伝送されるメッセージはＡｂｉｓ ＦＣＨ順方向メッセージと言い、ＢＴＳと別の基地局システムに属するＢＳＣとの間で伝送されるメッセージはＡ３ ＦＣＨ順方向メッセージと言う。
【００１５】
図４は、図３に示すＦＣＨ順方向メッセージの情報要素の詳細図である。
図４を参照すると、ＦＣＨ順方向メッセージの情報要素の中で順方向階層３データは、ＣＤＭＡ順方向トラフィックチャネルフレームと、図２のＳＤＵ機能部３４から対象基地局(Target BTS)４４に伝送されるパケットのための制御情報と、を含む。図４で、例えば、順方向トラフィックチャネル利得(Forward Traffic Channel Gain)と逆方向トラフィックチャネルＥW/ＮT(Reverse Traffic Channel EW/NT)のようなこのメッセージの電力制御情報は、ＢＴＳが与えられたＭＳに対して逆方向／順方向電力制御レベルを調節するために使用される。例えば、ソフトハンドオフレッグ数(Soft HO Leg ＃)、シーケンス番号(Sequence Number)、伝送率集合インジケータ(Rate Set Indicator)、順方向トラフィックチャネルレート(Forward Traffic Channel Rate)、及び電力制御サブチャネルカウント(Power Control Subchannel Count)のようなこのメッセージの残りの制御情報は、ＢＴＳが同期化と、ソフトハンドオフレッグの識別と、ＢＳＣ−ＳＤＵとＢＴＳとの間に無線で送信されるデータ率情報に対する知識(Knowledge)と、を制御するために使用される。前記ＦＣＨ順方向メッセージは主にＢＳＣ-ＳＤＵからＢＴＳに送信される。前記順方向階層３データは＜表１＞のように構成される。
【００１６】
【表１】
0004422348.tif 000002
【００１７】
＜表１＞で、オクテット１の１番目の予約領域(Reserved field)は、ＳＤＵ機能部では‘０’に設定される。‘ソフトハンドオフレッグ数’フィールドは、ソース基地局システムによって決定される数で、ソフトハンドオフレッグの数を示す。シーケンス番号フィールドは、順方向に無線で伝送されるフレームの伝送時間に該当するモジューロ(modulo)１６(TIA/EIA-95の1.2を参照)をフレーム単位のＣＤＭＡシステム時間に設定する。‘順方向トラフィックチャネル利得’フィールドは、順方向からのトラフィックチャネル利得である。‘逆方向トラフィックチャネルＥW/ＮT’フィールドは、逆方向で要求されるトラフィックチャネルＥW/ＮTである。ここで、ＥWは復調されたウォルシュシンボルエネルギー(demodulated Walsh symbol Energy)の総合であり、ＮTは受信された無線(RF)チャネルに関する電力スペクトル強度(power spectral density)の総合である。‘伝送率集合インジケータ’フィールドは、＜表２＞のようなトラフィックチャネルフレームの伝送率集合(Rate Set)を示す。
【００１８】
【表２】
0004422348.tif 000003
【００１９】
＜表２＞を参照すると、フィールド値‘００００’は伝送率集合１を、フィールド値‘０００１’は伝送率集合２を示す。
【００２０】
＜表１＞の‘順方向トラフィックチャネルレート’フィールドはＢＴＳがＭＳに順方向トラフィックチャネル情報(Forward Traffic Channel Information)を伝送するレートで、＜表３＞のように設定される。
【００２１】
【表３】
0004422348.tif 000004
【００２２】
＜表３＞を参照すると、フィールド値が‘００００’である場合はフルレート(Full Rate)で、‘０００１’である場合は１／２レート(Half Rate)で、‘００１０’である場合は１／４レート(Quarter Rate)で、‘００１１’である場合は１／８レート(Eighth Rate)で、順方向トラフィックチャネル情報を伝送する。もし、前記フィールド値が‘０１００’である場合は、アイドルフレーム(Idle Frame)を伝送する。アイドルフレームでは、ＢＴＳはフレームを伝送せず、シーケンス番号フィールドとフレームタイプ(Frame Type)フィールドを除いた他の全ての情報要素を無視する。前記のようなアイドルフレームはフレームの到着時間を調整するために使用される。
【００２３】
＜表１＞のオクテット５の２番目の予約領域は‘００００’に設定する。‘電力制御サブチャネルカウント’フィールドは、ソフトハンドオフに含まれている独立的な電力制御サブチャネルの数を示す。‘順方向トラフィックチャネル情報’フィールドは、ＢＴＳがＭＳに伝送する順方向トラフィック情報を示す。この時の伝送率は＜表４＞のいずれか１つの伝送率になる。階層３フィル(Layer-3 Fill)フィールドは、順方向トラフィックの伝送率に対応する階層３フィルに対するビット数を示し、＜表５＞のいずれか一つになる。
【００２４】
【表４】
0004422348.tif 000005
【００２５】
【表５】
0004422348.tif 000006
【００２６】
図５は、図２に示すＢＴＳ３６(または、４４)からＢＳＣ３２(または、４２)にＦＣＨ形態の使用者トラフィックサブチャネルを通して伝送されるメッセージフォーマット(以下、ＦＣＨ逆方向メッセージ(または、データフレーム))を示す図である。
【００２７】
図５に示すメッセージフォーマットは、ＢＴＳで復号化した逆方向トラフィックチャネルフレームと制御情報を伝送するために使用され、メッセージタイプIIと、逆方向階層３データ(Reverse Layer-3 Data)と、メッセージＣＲＣと、から構成される情報要素を持つ。前記ＦＣＨ逆方向メッセージは、あるＢＳＣと同一な基地局システムに属するＢＴＳとの間で使用されるか、または、前記ＢＳＣと別の基地局システムに属するＢＴＳとの間でも使用されるメッセージで、該当インターフェースによって違う名前を持つ。例えば、ＢＴＳから同一な基地局システムに属するＢＳＣに伝送されるメッセージはＡｂｉｓ ＦＣＨ逆方向メッセージと言い、ＢＴＳと別の基地局システムに属するＢＳＣとの間で伝送されるメッセージはＡ３ ＦＣＨ逆方向メッセージと言う。
【００２８】
図６は、図５に示すＦＣＨ逆方向メッセージの情報要素の詳細図である。
【００２９】
図６を参照すると、ＦＣＨ逆方向メッセージの逆方向階層３データの情報要素(Reverse Layer-3 portion Data)は、ＣＤＭＡ逆方向トラフィックチャネルフレームと、対象基地局(Target BTS)からＳＤＵ機能部に伝送されるパケットのための制御情報と、を含む。図６で、逆方向トラフィックチャネル品質(Reverse Traffic Channel Quality)とＥＩＢ(Erasure Indication Bit)のようなこのメッセージの電力制御情報は、ＢＳＣ／ＳＤＵがＢＴＳに伝送される逆方向／順方向電力制御レベルを決定するために使用される。例えば、ソフトバンドオフレッグ数と、シーケンス番号と、伝送率集合インジケータと、逆方向トラフィックチャネルレートと、スケーリング(Scaling)と、パケット到着時間エラー(Packet Arrival Time Error: ＰＡＴＥ)のような残りの制御情報は、ＢＳＣ／ＳＤＵが図３または図４の順方向階層３データを伝送するタイミングと、ソフトバンドオフレッグの識別と、無線で受信されるデータ率情報に対する知識(Knowledge)と、を制御するために使用される。結論的に、前記ＦＣＨ逆方向メッセージは主にＢＴＳからＢＳＣ-ＳＤＵに送信される。もっと具体的に言うと、前記ＦＣＨ逆方向メッセージは、ソースＢＴＳからソースＢＳＣ-ＳＤＵに送信され、対象ＢＴＳからソースＢＳＣ-ＳＤＵに送信される。前記逆方向階層３データは＜表６＞のように構成される。
【００３０】
【表６】
0004422348.tif 000007
【００３１】
図６で、オクテット１の１番目の予約領域は、ＢＴＳによって‘０’に設定される。‘ソフトバンドオフレッグ数’フィールドは、Ａ３-ＦＣＨ順方向メッセージ上のソース基地局システムによって決定されたソフトハンドオフレッグ数を保持するために使用される。‘シーケンス番号’フィールドは、ＢＴＳで逆方向に伝送されるエアインターフェースフレームの受信時間に該当するＣＤＭＡシステム時間をフレーム単位に表示してモジューロ(modulo)１６(TIA/EIA-95の1.2を参照)によって表現した数である。‘逆方向トラフィックチャネル品質’フィールドは、１ビットのＣＲＣフィールドと、７ビットのシンボルエラーレート(Symbol Error Rate)フィールドと、から構成される。前記７ビットのシンボルエラーレートは、“127-(Min[Re-Encoded Symbol Error Rate×α, 255])/2”の二進数値であり、ここで、α値は＜表７＞のように逆方向トラフィックチャネルレートによって決定される。
【００３２】
【表７】
0004422348.tif 000008
【００３３】
＜表７＞を参照すると、フルレートの場合のα値は１であり、１／２レートの場合のα値は２であり、１／４レートの場合のα値は４であり、１／８レートである場合のα値は８である。もし、ＢＴＳがＳＤＵ機能部から最近受信した順方向フレームがアイドルフレームである場合は、ＢＴＳは‘逆方向トラフィックチャネル品質’フィールドを‘００Ｈ’に設定し、ＳＤＵ機能部にアイドルフレームを伝送する。ＳＤＵ機能部は前記伝送されたアイドルフレームの内にあるフィールド値を全部無視する。
【００３４】
前記図６で、‘スケーリング’フィールドは‘パケット到着時間エラー(ＰＡＴＥ)’フィールドのためのタイムスケール(time scale)である。‘パケット到着時間エラー’フィールドは、Ａ３-ＦＣＨ順方向メッセージが到着した時間と、‘スケーリング’フィールドによって定義された単位で測定された平均到着時間と、の差を示し、＜表８＞のようなフィールド値を持つ。
【００３５】
【表８】
0004422348.tif 000009
【００３６】
図６での‘伝送率集合インジケータ’フィールドは、トラフィックチャネルフレームの伝送率集合を示す。ＢＴＳがアイドルフレームをＳＤＵ機能部に伝送すると、ＳＤＵ機能部はこのフィールドの全ての内容を無視する。＜表９＞のように、前記‘伝送率集合インジケータ’フィールド値が‘００００’である場合は伝送率集合１を示し、‘０００１’である場合は伝送率集合２を示す。
【００３７】
【表９】
0004422348.tif 000010
【００３８】
図６の‘逆方向トラフィックチャネルレート’フィールドは、ＭＳからＢＴＳに伝送されるトラフィックチャネル情報に対する伝送率、つまり、逆方向トラフィックチャネル情報(Reverse Traffic Channel Information)を伝送する伝送率であり、＜表１０＞のようなフィールド値を持つ。フィールド値が‘００００’である場合は伝送率がフルレートであり、‘０００１’である場合は１／２レートであり、‘００１０’である場合は１／４レートであり、‘００１１’である場合は１／８レートである。もし、ＢＴＳがＭＳを捕捉(acquisition)しなかった場合は、前記ＢＴＳは‘０１０１’のフィールド値を持つ逆方向トラフィックチャネルレート情報をアイドルに定義する。
【００３９】
【表１０】
0004422348.tif 000011
【００４０】
‘逆方向トラフィックチャネル情報’フィールドは、ＢＴＳがＭＳから受信した逆方向トラフィック情報を示す。前記‘逆方向トラフィックチャネル情報’フィールドは、＜表１１＞のように伝送率集合によるフレーム当たり情報ビットの数を含む。例えば、伝送率集合１の場合、伝送率が９６００ｂｐｓであるとフレーム当たり情報ビットの数は１７２であり、伝送率が１２００ｂｐｓであるとフレーム当たり情報ビットの数は１６である。且つ、伝送率集合２の場合、伝送率が１４４００ｂｐｓであるとフレーム当たり情報ビットの数は２６７であり、伝送率３６００ｂｐｓであるとフレーム当たり情報ビットの数は５５である。
【００４１】
【表１１】
0004422348.tif 000012
【００４２】
図６の‘ＥＩＢ(Erasure Indication Bit)’フィールドは、イレーザーフレーム(Erasure Frame)が伝送されることを示し、伝送率集合１の場合は‘０’に、伝送率集合２の場合は‘１’に設定される。オクテット５の２番目の予約領域は、‘０００００００’に設定される。階層３フィルは、逆方向トラフィックチャネルフレームの伝送率に対応する階層３フィルに対するビット数を示し、＜表１２＞のように伝送率集合よるいずれか一つになる。
【００４３】
【表１２】
0004422348.tif 000013
【００４４】
図７及び図８は、それぞれ従来技術によるソフト／ソフタハンドオフの追加及び削除の手順を示す。このような手順は、既存のＦＣＨフレーム上で遂行される。
【００４５】
まず、図７を参照して従来技術によるソフト／ソフタハンドオフの追加手順を説明する。
【００４６】
７ａ段階で、図２のソース基地局システム３０は、ソフトハンドオフの途中に現在の呼を支援するためには、対象基地局システム４０の１つまたはそれ以上のセルが必要であることを決定して、対象基地局システム４０にＡ７ハンドオフ要求(Handoff Request)メッセージを伝送し、タイマＴｈｏｒｅｑを駆動する。７ｂ段階で、対象基地局システム４０は、Ａ７ハンドオフ要求メッセージによって要求されるＡ３連結(Connection)のために、Ａ３連結メッセージを指定住所に送信してＡ３連結を開始する。７ｃ段階で、ソース基地局システム３０は、Ａ３連結の完了、または、既存のＡ３連結へのセルの追加を承認するために、Ａ３連結アクノリッジメント(Connect Ack)メッセージを送信する。７ｄ段階で、ソース基地局システム３０は対象基地局システム４０への順方向フレームの伝送を開始する。
【００４７】
前記ソース基地局システム３０と同期化すると、７ｅ段階で前記対象基地局システム４０は、順方向フレームをＭＳに伝送しはじめる。７ｆ段階で前記対象基地局システム４０は、１番目の順方向フレームをソース基地局システム３０から受信すると、逆方向アイドルフレームをソース基地局システム３０に伝送しはじめる。前記伝送された逆方向アイドルフレームには同期化のために必要な時間制御情報が含まれている。７ｇ段階で対象基地局システム４０は、セルの追加の成功を示すＡ７ハンドオフ要求アクノリッジメント(Handoff Request Ack)メッセージを伝送する。前記ソース基地局システム３０は前記Ａ７ハンドオフ要求アクノリッジメントメッセージに応答して、駆動中のタイマＴｈｏｒｅｑを中止させる。７ｈ段階で、ソース基地局システム３０のＳＤＵ機能部３４と対象基地局システム４０とがＡ３トラフィックサブチャネルを同期化する時、ソース基地局システム３０において伝送の開始と対象基地局システム４０の承認とが知られるように選択されている場合、対象基地局システム４０はＡ３トラフィックチャネル状態のメッセージを伝送する。７ｈ段階は、７ｄ段階の後に遂行される。
【００４８】
７ｉ段階でソース基地局システム３０は、新しいセルをアクティブ集合に追加するためにハンドオフ指示メッセージ(Handoff Direction Message)をＭＳに伝送する。７ｊ段階でＭＳは、前記ハンドオフ指示メッセージの承認を示すＭＳアクノリッジメントオーダー(MS Ack Order)メッセージをソース基地局システム３０に伝送する。７ｋ段階でＭＳは、ハンドオフ完了(Handoff Completion)メッセージをソース基地局システム３０に伝送して、ハンドオフ指示メッセージの成功的な処理を通報する。７ｌ段階でソース基地局システム３０は、ＢＳアクノリッジメントオーダー(BS Ack Order)メッセージをＭＳに伝送して前記ハンドオフ完了(Handoff Completion)メッセージを受信したことを承認する。７ｍ段階でソース基地局システム３０は、ハンドオフ遂行完了(Handoff Performed)メッセージをＭＳＣ２０に伝送する。前記ハンドオフ遂行完了メッセージの伝送は、ソース基地局システム３０がハンドオフ完了(Handoff Completion)メッセージを受信した以後のいつでもできる。
【００４９】
次に、図８を参照して従来技術によるソフト／ソフタハンドオフの削除手順を説明する。
【００５０】
８ａ段階でソース基地局システム３０は、アクティブ集合から1つまたは複数のセルを落とすために、Ａ３-ＦＣＨ順方向メッセージの中にハンドオフ指示メッセージをカプセル化して、対象基地局システム４０に伝送する。８ｂ段階でソース基地局システム３０と対象基地局システム４０は、ＭＳにハンドオフ指示メッセージを伝送する。８ｃ段階でＭＳは、前記ハンドオフ指示メッセージを受信したことに対する承認として、ＭＳアクノリッジメントオーダーメッセージをソース基地局システム３０と対象基地局システム４０に伝送する。８ｄ段階で対象基地局システム４０は、ＭＳから受信したＭＳアクノリッジメントオーダーメッセージをＡ３-ＦＣＨ逆方向メッセージに乗せてソース基地局システム３０に伝送する。８ｅ段階でＭＳは、ハンドオフ完了メッセージをソース基地局システム３０に伝送して、ハンドオフ指示メッセージの成功的な処理を通報する。８ｆ段階でソース基地局システム３０は、ＢＳアクノリッジメントオーダーメッセージを前記ＭＳに伝送して、前記ハンドオフ完了メッセージを受信したことを承認する。
【００５１】
前記のような従来技術で、基地局システムとＭＳとの間の無線リンクでの問題点でない、基地局システムで発生する問題点は次のようである。
【００５２】
(１) ＤＣＣＨ関連の支援方法及び装置の不在
図３乃至図８に示したように、既存の規格には、ＣＤＭＡ−２０００に新しく追加されたＤＣＣＨを処理するための方法や装置が全然定義されていない。従って、ＢＳＣとＢＴＳとの間で順方向と逆方向ＤＣＣＨを通して伝送されるフレームが定義されておらず、ＤＣＣＨが使用されている間のＤＣＣＨを通する電力制御の方法もまた定義されていない。
【００５３】
(２) 不連続伝送モードの支援方法の不在
既存のＦＣＨにはないＤＴＸモード区間のＳＣＨとＤＣＣＨの処理方法が存在しない。例えば、図７と図８のように、現在の３Ｇ ＩＯＳには、ＤＣＣＨフレームにおけるソフト／ソフタハンドオフに対する手順やメッセージが定義されていない。且つ、ＤＣＣＨはＦＣＨと違って、データ、信号、電力制御、及びＭＡＣ(Medium Access Control)信号などが上位階層から物理階層に伝送されない場合は、何のフレームも生成や伝送しないＤＴＸモードを支援している。その中で、ソフト／ソフタハンドオフに関連したＡ３、Ａ７インターフェース上で、現在はＤＣＣＨフレームとＤＴＸモード動作のためのメッセージ及び手順が定義されていないので、ＤＣＣＨフレームのためのＡ３、Ａ７インターフェースで両方向に伝送されるようにするメッセージと基地局でＤＣＣＨにおけるＤＴＸモードを制御し支援できる手順とが必要である。
【００５４】
【発明が解決しようとする課題】
本発明の目的は、移動通信システムのＢＳＣとＢＴＳとの間にＤＣＣＨを通して新しく定義された順方向及び逆方向フレーム(メッセージ)を送受信する方法を提供することにある。
【００５５】
本発明の他の目的は、移動通信システムのＢＳＣとＢＴＳとの間にＤＣＣＨを通して電力制御情報を決定及び送受信する方法を提供することにある。
【００５６】
本発明のまた他の目的は、移動通信システムで伝送するデータが存在する区間のみでデータを伝送するＤＴＸモードの時、ＢＳＣとＢＴＳとの間にＤＣＣＨを通して信号を送受信する方法を提供することにある。
【００５７】
本発明のまた他の目的は、移動通信システムで伝送するデータが存在する区間のみでデータを伝送するＤＴＸモードの時、ＢＳＣとＢＴＳとの間にＤＣＣＨを通して電力制御情報を決定及び送受信する方法を提供することにある。
【００５８】
本発明のまた他の目的は、移動通信システムでＤＣＣＨを通して遂行されるソフト／ソフタ ハンドオフの方法を提供することにある。
【００５９】
本発明のまた他の目的は、移動通信システムで伝送するデータが存在する区間のみでデータを伝送するＤＴＸモードの時、ＤＣＣＨを通して遂行されるソフト／ソフタハンドオフ方法を提供することにある。
【００６０】
【課題を解決するための手段】
前記のような目的を達成するための本発明は、移動通信システムで、ＤＴＸモードの間にＭＳからの伝送データがない場合、ＢＴＳからＢＳＣに信号を送信する方法を提供する。前記移動通信システムは、予め設定された周期でデータを送受信するＭＳと、ＢＴＳと、前記ＢＴＳを制御するＢＳＣと、を含む。ＤＴＸモードを確認した後、前記ＢＴＳは、移動局の電力制御のためにＤＴＸモードの確認以前のＭＳの電力制御情報をＢＳＣに対する現在電力制御情報として設定する。それから、前記ＢＴＳは、現在電力制御情報を含む逆方向メッセージをＤＣＣＨを通して前記ＢＳＣに送信する。前記ＤＴＸモードが確認された時点で、前記ＭＳと前記ＢＴＳとの間で伝送されるデータがある場合、前記以前電力制御情報を前記現在電力制御情報として設定する。
【００６１】
【発明の実施の形態】
以下、本発明による好適な一実施形態を添付図面を参照しつつ詳細に説明する。下記説明において、本発明の要旨を明確にするために関連した公知機能または構成に対する具体的な説明は省略する。
【００６２】
図９は、本発明によるＢＴＳとＢＳＣ(具体的にはＢＳＣの内にあるＳＤＵ機能部)との間のＤＣＣＨ信号の送受信手順を示す。このような動作は、図２に示すソース基地局システム３０の内部にあるＢＳＣ３２(ＢＳＣ−ＳＤＵ機能部３４)とＢＴＳ３６との間でも遂行でき、対象基地局システム４０の内部にあるＢＳＣ４２とＢＴＳ４４との間でも遂行できる。
【００６３】
図９を参照すると、９１段階でＢＴＳは、ＤＴＸモードの検出によってＢＳＣに伝送するデータフレームの種類を決定し、ＤＣＣＨ逆方向メッセージを生成する。前記生成されたＤＣＣＨ逆方向メッセージは、ＭＳ(図示せず)から予め設定された時間(例: 20ms)単位で送信されたＤＣＣＨ逆方向フレームに対応して、前記設定時間周期でＢＳＣに伝送するためのメッセージである。一般的に、両方向に伝送されるデータがなくても、制御チャネル情報の伝送のためにＢＳＣ−ＢＴＳインターフェースを通してＢＳＣとＢＴＳとの間にそれぞれ送受信される順方向及び逆方向ＤＣＣＨ信号メッセージが存在しなければならない。無線で、順方向及び逆方向ＤＣＣＨは、ＭＳまたはＢＴＳがただ順方向または逆方向において他側に伝送される幾つかのデータを持っている場合にも、データと電力制御情報とを伝送するために設定されるべきである。９１段階の動作は図１０を参照してより具体的に説明できる。９２段階でＢＴＳは、前記生成されるＤＣＣＨ逆方向メッセージをＢＳＣに伝送するが、ここで、伝送されるＤＣＣＨ逆方向メッセージにはデータ／ナル／アイドル／イレーザーフレーム(Data/Null/Idle/Erasure Frame)が含まれる。９３段階でＢＳＣは、前記伝送されたＤＣＣＨ逆方向メッセージを受信及び処理する。また、前記ＢＳＣはＢＴＳに伝送するＤＣＣＨ順方向メッセージを生成する。この時、前記伝送されたＤＣＣＨ逆方向メッセージを受信する動作は図１２を、前記受信されたＤＣＣＨ逆方向メッセージを処理してＤＣＣＨ順方向メッセージを生成する動作は図１１を参照して具体的に説明する。９４段階でＢＳＣは、前記生成されたＤＣＣＨ順方向メッセージをＢＴＳに伝送する。この時、伝送されるＤＣＣＨ順方向メッセージにはデータ／ナル／アイドル／イレーザーフレームが含まれる。９５段階でＢＴＳは、前記受信したＤＣＣＨ順方向メッセージの電力制御情報に基づいてＭＳに対する順方向／逆方向電力制御を遂行する。前記のようなＤＣＣＨ順方向メッセージを受信する動作は図１３を参照して具体的に説明される。
【００６４】
要するに、ＢＴＳは予め設定された周期(20ms)でＭＳからのデータフレームを受信し、前記設定周期でＤＣＣＨ逆方向メッセージを生成してＢＳＣに伝送する。ＢＳＣは前記ＤＣＣＨ逆方向メッセージを受信して処理した後、ＤＣＣＨ順方向メッセージを生成してＢＴＳに伝送する。それから、ＢＴＳは、ＢＳＣからのＤＣＣＨ順方向メッセージの中に含まれている電力制御情報を読み出してＭＳに対する電力制御動作を遂行する。
【００６５】
図１０Ａ及び図１０Ｂは、本発明によるＤＣＣＨ逆方向メッセージ送信動作の処理手順を示す。前記の動作は、ＢＴＳが、予め設定された周期でＭＳから受信されるフレームをＤＣＣＨ逆方向メッセージとしてＢＳＣのＳＤＵ機能部に伝送する手順である。下記ＢＳＣ−ＳＤＵ機能部とＢＴＳとの間で送受信される順方向／逆方向ＤＣＣＨメッセージは、図３乃至図６に示されたＦＣＨメッセージをそのまま使用する。ただ、本発明では、前記順方向ＤＣＣＨメッセージをＦＣＨ／ＤＣＣＨ順方向メッセージに、前記逆方向ＤＣＣＨメッセージをＦＣＨ／ＤＣＣＨ逆メッセージに定義するという点に注意する必要がある。
【００６６】
図１０Ａを参照すると、１０１段階でＢＴＳは、ＭＳとの無線資源を確保して、ＭＳを捕捉しているかを確認する。１０１段階で、ＢＴＳが、ＭＳとの無線資源の確保とＭＳの捕捉とを失敗したと確認される場合、１０４段階で、ＢＴＳは、ＭＳと逆方向に同期化していると判断して、ＢＳＣ−ＳＤＵとＢＴＳとの同期化のために図６に示すメッセージの中で伝送率集合インジケータまたはＤＣＣＨフレーム内容(Frame Content)をアイドルフレームに設定する。ＢＳＣ−ＳＤＵ機能部とＢＴＳとの間で同期が得られているので、１０６段階でＢＴＳは、ＢＳＣ−ＳＤＵ機能部に伝送するＤＣＣＨ逆方向メッセージの中で電力制御に関連した情報をＢＳＣ−ＳＤＵ機能部が無視するように指定する。１０７段階で、図６に示されたようなフレームフォーマットのＩＳ−２０００のＦＣＨ／ＤＣＣＨ逆方向メッセージを生成して、前記生成されたＤＣＣＨ逆方向メッセージをＢＳＣ−ＳＤＵ機能部に伝送する。
【００６７】
１０１段階で、ＢＴＳが、ＭＳとの無線資源を確保してＭＳを捕捉していると確認される場合、１０２段階でＢＴＳは、ＭＳから受信したデータフレームの品質を確認する。１０２段階で、受信データフレームの品質が悪いと確認される場合、１０４−１段階でＢＴＳは、図６に示すメッセージの中で伝送率集合インジケータまたはＤＣＣＨフレーム内容(Frame Content)をイレーザーフレームに設定する。１０４−１段階を遂行した後、１０６−１段階でＢＴＳは、ＢＳＣ−ＳＤＵ機能部に伝送するＤＣＣＨ逆方向メッセージの中で電力制御に関連した情報をＢＳＣ−ＳＤＵ機能部が無視するように設定する。１０７−１段階でＢＴＳは、ＭＳからの受信フレームの品質が悪いので、何のデータも含まれていないＩＳ−２０００のＦＣＨ／ＤＣＣＨ逆方向フレームメッセージを生成して、前記生成されたＦＣＨ／ＤＣＣＨ逆方向メッセージをＢＳＣ−ＳＤＵ機能部に伝送する。そうすると、ＢＳＣ−ＳＤＵ機能部はイレーザーフレームを認識して、逆方向電力制御のためのＭＳの電力増加を要求する。つまり、ＢＳＣ−ＳＤＵ機能部は、ＭＳから受信したデータフレームの品質が悪いので、ＭＳに電力を増加させてデータフレームを伝送することを要求する。
【００６８】
１０２段階で、受信データフレームの品質が良いと確認される場合、１０３段階でＢＴＳは、ＭＳから逆方向ＤＣＣＨフレームを受信する間に、ＤＴＸモードが検出されるか否かを決定する。この時、ＤＴＸモードの検出方法は、既存のＭＳとＢＴＳとの間の無線区間でＤＴＸモードを検出する方法をそのまま使用することができる。ＤＴＸモードが検出されない場合は１０４−２段階に進行し、ＤＴＸモードが検出される場合は１０４−３段階に進行する。
【００６９】
１０４−２段階でＢＴＳは、図６の伝送率集合インジケータを伝送率集合１(9600bps)または伝送率集合２(14400bps)に設定する。１０２Ａ段階でＢＴＳは、ＢＳＣ−ＳＤＵ機能部から最近受信したＤＣＣＨ順方向メッセージのフレームがナルフレーム(Null Frame)であるか否かを確認する。最近受信した順方向メッセージがナルフレームでない場合、１０６−２段階でＢＴＳは、電力制御に関連した情報要素を、ＭＳからの受信ＤＣＣＨフレームを利用して設定する。しかしながら、最近受信した順方向メッセージがナルフレームである場合、１０６−３段階でＢＴＳは、ＭＳから受信した２０ｍｓデータフレームからＢＳＣ−ＳＤＵ機能部に伝送するＤＣＣＨ逆方向メッセージの中で電力制御情報を無視し、電力制御情報を示す情報要素をＢＳＣ−ＳＤＵ機能部で無視するように設定する。順方向／逆方向のＤＣＣＨのエアフレームは２０ｍｓ周期の全ての有効データを含むフレームで２０ｍｓの毎に伝送される。１０６−２段階及び１０６−３段階を遂行した後、１０７−２段階でＢＴＳは、ＭＳから受信した２０ｍｓフレームの中にあるデータをカプセル化して、図６に示すようなフォーマットを持つＩＳ−２０００のＦＣＨ／ＤＣＣＨ逆方向フレームを生成し、前記生成されたＩＳ−２０００のＤＣＣＨ逆方向メッセージをＢＳＣ−ＳＤＵ機能部に伝送する。この時、ＭＳから受信したデータは図６に示すチャネル情報フィールドに追加されてＢＳＣ−ＳＤＵ機能部に伝送される。
【００７０】
１０３段階でＤＴＸが検出される場合は、ＢＴＳは図１０Ｂの１０４−３段階に進行して、図６に示すようなＩＳ−２０００のＤＣＣＨフレーム内容をナルフレームに設定する。つまり、図６に示す伝送率集合インジケータ情報要素をナルフレームに設定する。１０４−３段階を遂行した後は、１０４−２段階の後に遂行される１０５Ａ段階と同一な１０５Ｂ段階を遂行する。１０５Ｂ段階でＢＴＳは、ＢＳＣ−ＳＤＵ機能部から最近受信したＤＣＣＨ順方向メッセージがナルフレームであるか否かを確認する。ＢＳＣ−ＳＤＵ機能部から最近受信したＤＣＣＨ順方向メッセージがナルフレームでない場合、１０６−４段階でＢＴＳは、電力制御に関連した情報要素として、ＤＴＸモードが検出された時点での電力制御情報をそのまま設定する。しかしながら、最近ＢＳＣ−ＳＤＵ機能部から受信したＤＣＣＨ順方向メッセージがナルフレームであると、１０６−５段階でＢＴＳは、ＢＳＣ−ＳＤＵ機能部に伝送される図６に示すようなＤＣＣＨ逆方向メッセージの電力制御情報の中で、ＤＴＸが検出される時点での電力制御に関連した全ての情報を無視し、ＢＳＣ−ＳＤＵ機能部が前記電力制御情報要素を無視するように設定する。１０６−４段階または１０６−５段階を遂行した後、ＭＳから受信した２０ｍｓフレームにはデータがないので、ＢＴＳは図６に示すような何のデータも乗っていないＩＳ−２０００のＦＣＨ／ＤＣＣＨ逆方向フレームフォーマットを生成し、前記生成されたＩＳ−２０００のＦＣＨ/ＤＣＣＨ逆方向メッセージをＢＳＣ−ＳＤＵ機能部に伝送する。この時、図６に示すチャネル情報には何のデータもない状態でＢＳＣ−ＳＤＵ機能部に伝送される。
【００７１】
図１１Ａ及び図１１Ｂは、本発明によるＤＣＣＨ順方向メッセージ送信動作の処理手順を示す。前記のような動作は、ＢＳＣ−ＳＤＵ機能部が予め設定された周期(20msフレーム周期)でＤＣＣＨ順方向メッセージをＢＴＳに伝送する処理手順である。ここで、ＢＳＣ−ＳＤＵ機能部とＢＴＳとの間に送受信される順方向／逆方向ＤＣＣＨメッセージは、図３乃至図６に示すＦＣＨメッセージをそのまま使用する。しかしながら、本発明は、前記順方向ＤＣＣＨメッセージをＦＣＨ／ＤＣＣＨ順方向メッセージに定義し、逆方向ＤＣＣＨメッセージをＦＣＨ／ＤＣＣＨ逆方向メッセージに定義することに注意する。
【００７２】
図１１Ａを参照すると、２０１段階でＢＳＣ−ＳＤＵ機能部は、ＭＳとの順方向無線資源を確保してＭＳを捕捉しているか否かを確認する。ＭＳとの順方向無線資源が確保されずＭＳも捕捉されてない場合、２０３段階でＢＳＣ−ＳＤＵ機能部は、現在ＭＳと順方向に同期化していると決定し、ＢＳＣ−ＳＤＵ機能部とＢＴＳとの間を同期化するために図４に示されたメッセージの中で伝送率集合インジケータまたはＤＣＣＨフレーム内容をアイドルフレームに設定する。この時、同期化している途中であるので、２０６段階でＢＳＣ−ＳＤＵ機能部は、ＢＴＳに伝送されるＤＣＣＨ順方向メッセージの中で電力制御に関連した情報を適切に設定する。ここで、順方向電力制御情報はＭＳを制御するために初期値に設定し、逆方向電力制御情報はＢＴＳから２０ｍｓ毎に提供されるＤＣＣＨ逆方向メッセージの受信結果から電力制御情報を参照して設定する。２０６段階の後、２０７段階でＢＳＣ−ＳＤＵ機能部は前記電力制御情報が設定されたＤＣＣＨ順方向メッセージをＢＴＳに伝送する。この時、伝送されるＤＣＣＨ順方向メッセージには何のデータも乗っていない。
【００７３】
２０１段階で、ＭＳとの無線資源確保及とＭＳの捕捉とが行われていると確認される場合、２０２段階でＢＳＣ−ＳＤＵ機能部は、ＢＳＣまたは外部の網要素(例: PDSN(packet data service network))からＭＳに伝送するデータがあるかを確認する。ＭＳに伝送するデーがないと確認された場合は２０３−１段階に進行し、ＭＳに伝送するデータがあると確認された場合は２０３−２に進行する。
【００７４】
２０３−１段階でＢＳＣ−ＳＤＵ機能部は、図４に示すＤＣＣＨ順方向メッセージの情報要素の中で伝送率集合インジケータまたはＤＣＣＨフレーム内容をナルフレームに設定する。それから、２０１Ａ段階でＢＳＣ−ＳＤＵ機能部は、最近ＢＴＳから受信されたＤＣＣＨ逆方向メッセージのフレーム内容がナルフレームであるかアイドルフレームであるかを判断する。２０４Ａ段階で最近ＢＴＳから受信したＤＣＣＨ逆方向メッセージのフレームがナルフレームでもアイドルフレームでもないと確認される場合、２０５Ａ段階でＢＳＣ−ＳＤＵ機能部は、最近ＢＴＳから受信したＤＣＣＨ逆方向メッセージのフレーム内容(Frame Content)がイレーザーフレーム)であるかを確認する。イレーザーフレームでないと確認された場合は、２０６−１Ａ段階でＢＳＣ−ＳＤＵ機能部は、ＢＴＳから２０ｍｓ毎に提供される図６のようなＤＣＣＨ逆方向メッセージの受信結果から電力制御情報を参照して、図４のようなＤＣＣＨ順方向メッセージの電力制御情報を指定する。この時は、ＭＳに伝送する何のデータもないので、２０７−１段階でＢＳＣ−ＳＤＵ機能部は、何のデータも乗っていないＦＣＨ/ＤＣＣＨ順方向フレームフォーマットを生成し、前記生成されたＤＣＣＨ順方向メッセージをＢＴＳに伝送する。
【００７５】
前記２０５Ａで、ＢＴＳから最近受信したＤＣＣＨ逆方向メッセージのフレーム内容がイレーザーフレームであると確認される場合、ＢＴＳから２０ｍｓ毎に提供されるＤＣＣＨ逆方向メッセージがイレーザーフレームに該当するので、２０６−２Ａ段階でＢＳＣ−ＳＤＵ機能部は、逆方向の電力を増加させるようにＤＣＣＨ順方向メッセージの逆方向電力制御メッセージの値を指定する。この時は、ＭＳに伝送する何のデータもないので、２０６−２Ａ段階を遂行した後、２０７−１段階を遂行する。つまり、２０６−２Ａ段階を遂行した後、ＢＳＣ−ＳＤＵ機能部は何のデータも乗っていないＦＣＨ/ＤＣＣＨ順方向フレームフォーマットを生成して、前記生成されたＤＣＣＨ順方向メッセージをＢＴＳに伝送する。
【００７６】
２０４Ａ段階で、ＢＴＳから最近受信したＤＣＣＨ逆方向メッセージのフレーム内容がナルフレームまたはアイドルフレームであると確認される場合は、２０３−３Ａ段階でＢＳＣ−ＳＤＵ機能部は、ＢＴＳから２０ｍｓ毎に提供される図６のようなＤＣＣＨ逆方向メッセージの受信結果に含まれた既存の電力制御情報をそのまま維持する。前記のような既存の電力制御情報維持動作は、ＢＴＳから、ナルフレームまたはアイドルフレームでないデータフレームまたはイレーザーフレームが提供されるまで遂行される。つまり、２０６−３Ａ段階でＢＳＣ−ＳＤＵ機能部は、ＤＣＣＨ順方向メッセージの電力制御情報値を以前の値と同一に指定する。この時は、ＭＳに伝送するデータがないので、２０７−１段階でＢＳＣ−ＳＤＵ機能部は、何のデータも乗っていないＦＣＨ/ＤＣＣＨ順方向フレームフォーマットを生成し、前記生成されたＤＣＣＨ順方向メッセージをＢＴＳに伝送する。
【００７７】
２０２段階で、ＭＳに伝送するデータがあると確認される場合、図１１Ｂの２０３−２段階でＢＳＣ−ＳＤＵ機能部は、図４に示すＤＣＣＨ順方向メッセージの情報要素の中で、伝送率集合インジケータまたはＤＣＣＨフレーム内容を９６００ｂｐｓまたは１４４００ｂｐｓのデータフレームに設定する。２０３−２段階を遂行した後は、２０３−１段階を遂行した後と同一な動作が遂行される。つまり、２０３-２段階を遂行した後は、２０４Ｂ段階、２０５Ｂ段階、２０６−１Ｂ段階、２０６−２Ｂ段階、２０６−３Ｂ段階、及び２０７−２段階が遂行されるが、この中で２０４Ｂ段階、２０５Ｂ段階、２０６−１Ｂ段階、２０６−２Ｂ段階、２０６−３Ｂ段階は、それぞれ２０４Ａ段階、２０５Ａ段階、２０６−１Ａ段階、２０６−２Ａ段階、及び２０６−３Ａ段階と同一な動作を遂行する。２０４Ｂ段階でＢＳＣ−ＳＤＵ機能部は、最近ＢＴＳから受信したＤＣＣＨ逆方向メッセージのフレーム内容がナルフレームであるかアイドルフレームであるかを判断する。
【００７８】
２０４Ｂ段階で、最近ＢＴＳから受信したＤＣＣＨ逆方向メッセージのフレームがナルフレームでもアイドルフレームでもないと確認される場合、２０５Ｂ段階でＢＳＣ−ＳＤＵ機能部は、最近ＢＴＳから受信したＤＣＣＨ逆方向メッセージのフレーム内容がイレーザーフレームであるか否かを確認する。イレーザーフレームでないと確認された場合、２０６−１Ｂ段階でＢＳＣ−ＳＤＵ機能部は、ＢＴＳから２０ｍｓ毎に提供される図６のようなＤＣＣＨ逆方向メッセージ受信結果から電力制御情報を参照して、図４のようなＤＣＣＨ順方向メッセージの電力制御情報を指定する。この時、ＭＳに伝送するデータがあるので、２０７−２段階でＢＳＣ−ＳＤＵ機能部は、伝送するデータをカプセル化してＦＣＨ／ＤＣＣＨ順方向フレームフォーマットを生成し、前記生成されたＤＣＣＨ順方向メッセージをＢＴＳに伝送する。
【００７９】
前記２０５Ｂで、最近ＢＴＳから受信したＤＣＣＨ逆方向メッセージのフレーム内容がイレーザーフレームであると確認された場合は、ＢＴＳから２０ｍｓ毎に提供されるＤＣＣＨ逆方向メッセージがイレーザーフレームに該当するので、２０６−２Ｂ段階でＢＳＣ−ＳＤＵ機能部は、逆方向の電力が増加するようにＤＣＣＨ順方向メッセージの逆方向電力制御メッセージの値を指定する。この時、ＭＳに伝送するデータが存在するので、２０６−２Ｂ段階を遂行した後、２０７−２段階を遂行する。つまり、２０６−２Ｂ段階を遂行した後、ＢＳＣ−ＳＤＵ機能部は、伝送するデータが乗っているＦＣＨ／ＤＣＣＨ順方向フレームフォーマットを生成して、前記生成されたＤＣＣＨ順方向メッセージをＢＴＳに伝送する。
【００８０】
２０４Ｂ段階で、最近ＢＴＳから受信したＤＣＣＨ逆方向メッセージのフレーム内容がナルフレームまたはアイドルフレームであると確認された場合、２０３−３Ｂ段階でＢＳＣ−ＳＤＵ機能部は、ＢＴＳから２０ｍｓ毎に提供される図６のようなＤＣＣＨ逆方向メッセージの受信結果に含まれた既存の電力制御情報をそのまま維持する。前記のような既存の電力制御情報維持動作は、ＢＴＳから、ナルフレームまたはアイドルフレームでないデータフレームまたはイレーザーフレームが提供されるまで遂行される。つまり、２０６−３Ｂ段階でＢＳＣ−ＳＤＵ機能部は、ＤＣＣＨ順方向メッセージの電力制御情報値を以前の値と同一に指定する。この時、ＭＳに伝送するデータがあるので、２０７−２段階でＢＳＣ−ＳＤＵ機能部は、伝送するデータが乗っているＦＣＨ／ＤＣＣＨ順方向フレームフォーマットを生成し、前記生成されたＤＣＣＨ順方向メッセージをＢＴＳに伝送する。
【００８１】
図１２は、本発明によるＤＣＣＨ逆方向メッセージの受信動作の処理手順で、ＢＳＣ−ＳＤＵ機能部が、予め設定された周期(例: 20msフレーム)毎にＢＴＳから提供されるＤＣＣＨ逆方向メッセージを受信して処理する手順である。
【００８２】
図１２を参照すると、３００段階でＢＳＣ−ＳＤＵ機能部は、ＢＴＳから２０ｍｓ毎にＤＣＣＨ逆方向メッセージを受信する。３０１段階でＢＳＣ−ＳＤＵ機能部は、３００段階で受信されたメッセージの伝送率集合インジケータまたはフレーム内容がイレーザーフレームを指定するかを判断する。３０１段階で、イレーザーフレームであると判断された場合にＢＳＣ−ＳＤＵ機能部は３０４段階を遂行し、イレーザーフレームでないと判断された場合は３０２段階を遂行する。イレーザーフレームが受信されたことは、ＢＴＳがＭＳから受信したフレームの品質が悪いということを意味するので、３０４段階でＢＳＣ−ＳＤＵ機能部は、ＢＴＳから受信したＤＣＣＨ逆方向メッセージの全ての情報を無視し、逆方向電力が増加されるように決定する。つまり、３０４段階でＢＳＣ−ＳＤＵ機能部は、逆方向電力を増加させるためのＤＣＣＨ順方向メッセージを生成し、ＢＴＳに伝送する。
【００８３】
３０１段階で、伝送率集合インジケータまたはフレーム内容がイレーザーフレームでないと判断される場合、３０２段階でＢＳＣ−ＳＤＵ機能部は、受信したメッセージの伝送率集合インジケータまたはフレーム内容がアイドルフレームであるかを判断する。３０２段階で、アイドルフレームであると判断された場合は、３０４−１段階でＢＳＣ−ＳＤＵ機能部は、ＢＴＳから受信したＤＣＣＨ逆方向メッセージの全ての情報を無視し、ＢＴＳがＭＳからの無線専用資源をまだ認識していないと、または、割り当てていないと判断して、ＭＳに対する逆方向電力制御情報として最初に定義した値をそのまま使用するように指定する情報を含む、ＢＴＳに伝送するＤＣＣＨ順方向メッセージを生成する。つまり、３０４−１段階でＢＳＣ−ＳＤＵ機能部は、ＤＣＣＨ逆方向メッセージの全ての情報を無視し、最初に定義した値を、ＭＳに対する逆方向電力制御情報として使用するように決定する。
【００８４】
３０２段階で、伝送率集合インジケータまたはフレーム内容がアイドルフレームでないと判断される場合、３０３段階でＢＳＣ−ＳＤＵ機能部は、受信したメッセージの伝送率集合インジケータやフレーム内容(Frame Content)がナルフレームであるか否かを判断する。３０３段階で、伝送率集合インジケータまたはフレーム内容がナルフレームであると判断された場合は、３０４−２段階で、ＢＳＣ−ＳＤＵ機能部は、ＢＴＳから受信したＤＣＣＨ逆方向メッセージの中で電力制御に関連した情報を無視し、ＭＳとＢＴＳとの間の逆方向チャネルが現在ＤＴＸ区間にあることを認識して、ＭＳに対する逆方向電力制御情報のために使用されるべきＤＴＸモードの直前に定義した値をそのまま指定する情報を含む、ＢＴＳに伝送するＤＣＣＨ順方向メッセージを生成する。つまり、３０４−２段階でＢＳＣ−ＳＤＵ機能部は、ＤＣＣＨ逆方向メッセージの電力制御関連情報を無視し、ＤＴＸモードと判断される直前に定義された値をＭＳに対する逆方向電力制御情報として使用するように決定する。
【００８５】
３０３段階で、伝送率集合インジケータまたはフレーム内容がナルフレームでないと判断された場合は、受信したメッセージがデータフレームであることを意味する。３０４−３段階でＢＳＣ−ＳＤＵ機能部は、ＢＴＳから受信したＤＣＣＨ逆方向メッセージの中でチャネル情報に含まれたデータを、データのタイプによって該当するデータ処理装置(図示せず)に伝送し、電力制御に関連した情報を全部分析して、ＭＳに対する逆方向／順方向電力制御情報を含む、ＢＴＳに伝送するＤＣＣＨ順方向メッセージを生成する。つまり、３０４−３段階でＢＳＣ−ＳＤＵ機能部は、ＤＣＣＨ逆方向メッセージのチャネル情報に含まれたデータ及び電力制御情報を分析して、ＭＳに対する逆方向電力制御情報を決定する。
【００８６】
図１３は、本発明の実施形態によるＤＣＣＨ順方向メッセージ受信処理の手順を示し、ＢＴＳが、予め設定された周期(例: 20msフレーム)毎にＢＳＣ−ＳＤＵ機能部から提供されたＤＣＣＨ順方向メッセージを受信して処理する手順である。
図１３を参照すると、４００段階でＢＴＳは、ＢＳＣから２０ｍｓ毎にＤＣＣＨ順方向メッセージを受信する。４０１段階でＢＴＳは、受信したＤＣＣＨ順方向メッセージの伝送率集合インジケータやフレーム内容がアイドルフレームであるか否かを判断する。４０１段階で、アイドルフレームが受信されたと判断される場合、ＢＴＳは、ＢＳＣ−ＳＤＵ機能部から受信したＤＣＣＨ順方向メッセージの全ての情報を分析して、ＭＳに対する逆方向／順方向電力制御情報を前記順方向メッセージで定義した値を使用して電力制御処理部(図示せず)に提供する。この時、無線リンクの順方向には何のフレームも伝送されない。
【００８７】
４０１段階で、アイドルフレームが受信されていないと判断される場合、４０２段階でＢＴＳは、受信したＤＣＣＨ順方向メッセージの伝送率集合インジケータやフレーム内容がナルフレームであるかを判断する。４０２段階で、ナルフレームが受信されたと判断される場合、ＢＴＳは、ＢＳＣ−ＳＤＵ機能部から受信したＤＣＣＨ順方向メッセージの全ての情報を分析し、前記順方向メッセージで定義した値を使用してＭＳに対する逆方向／順方向電力制御情報を電力制御処理部に提供する。つまり、４０３−１段階でＢＴＳは、ＤＣＣＨ順方向メッセージで定義された値をＭＳに対する逆方向／順方向電力制御情報として決定する。この時、順方向電力制御に対する値は、ナルフレームを最初受信する以前の値に維持され、無線リンクの順方向にはＤＣＣＨナルフレームが伝送される。
【００８８】
４０２段階で、ナルフレームが受信されないと判断される場合は、データフレームを受信したことを意味する。従って、４０３−２段階でＢＴＳは、ＢＳＣ−ＳＤＵ機能部から受信したＤＣＣＨ順方向メッセージの全ての情報を分析して、ＭＳに対する逆方向／順方向電力制御情報は、前記順方向メッセージで定義した値を使用して電力制御処理部に提供する。つまり、４０３−２段階でＢＴＳは、ＤＣＣＨ順方向メッセージで定義された値をＭＳに対する逆方向／順方向電力制御情報として決定する。この時、ＤＣＣＨ順方向メッセージのチャネル情報に含まれたデータは無線リンクのＤＣＣＨデータフレームを通して伝送される。
【００８９】
図１４は、本発明の実施形態によるソフト／ソフタハンドオフ追加(Soft/Softer Handoff Addition)手順を示す。前記の手順によると、ＵＨＤＭ(Universal Handoff Direction Message)を支援し、ソース基地局システムと対象基地局システム(Target BS)との間に順方向／逆方向ＤＣＣＨフレームを伝送し、ＤＴＸモードを支援するために、Ａ３-ＦＣＨ順方向メッセージとＡ３-ＦＣＨ逆方向メッセージを、それぞれＡ３-ＦＣＨ／ＤＣＣＨ順方向メッセージとＡ３-ＦＣＨ／ＤＣＣＨ逆方向メッセージに拡張する。
【００９０】
図１４を参照すると、１４ａ段階でソース基地局システムは、対象基地局システムの１つまたはそれ以上のセルがソフトハンドオフの途中に現在の呼を支援するために必要であると判断して、対象基地局システムにＡ７-ハンドオフ要求メッセージを伝送し、タイマThoreqを駆動する。１４ｂ段階で対象基地局システムは、Ａ３連結メッセージを指定住所に伝送し、Ａ７-ハンドオフ要求メッセージに応じてＡ３連結(Connection)を開始する。１４ｃ段階でソース基地局システムは、Ａ３連結を完了するか、または、既存のＡ３連結にセルを追加するかを承認するためにＡ３連結アクノリッジメントメッセージを伝送する。
【００９１】
１４ｄ段階でソース基地局システムは、対象基地局システムに本発明の実施形態によるＡ３-ＦＣＨ／ＤＣＣＨ順方向メッセージ(順方向フレーム)を伝送する。１４ｅ段階で対象基地局システムは、同期化したとたん、順方向フレームをＭＳに伝送しはじめる。１４ｆ段階で対象基地局システムは、１番目の順方向フレームをソース基地局システムから受信して、逆方向アイドルフレームが乗っている本発明の実施形態によるＡ３-ＦＣＨ／ＤＣＣＨ逆方向メッセージを伝送しはじめる。前記の逆方向メッセージのフレームには、同期化のために必要な時間制御情報が含まれている。１４ｇ段階で対象基地局システムは、セル追加の成功を示すＡ７-ハンドオフ要求アクノリッジメント(Handoff Request Ack)メッセージをソース基地局システムに伝送する。また、前記Ａ７-ハンドオフ要求アクノリッジメントメッセージに応答して、ソース基地局システムは前記タイマThoreqを中止させる。１４ｈ段階で、Ａ３-トラフィックサブチャネルを同期化する時、ソース基地局システムのＳＤＵ機能部と対象基地局システムは、伝送の開始と対象基地局への承認がソース基地局システムに知られるように選択されている場合に、対象基地局システムはＡ３-トラフィックチャネル状態(Traffic Channel Status)メッセージを伝送する。前記の過程は、１４ｄ段階の後に遂行される。
【００９２】
１４ｉ段階でソース基地局システムは、本発明の実施形態による拡張型／ユニバーサルハンドオフ指示メッセージ(Extended/Universal Handoff Direction Message)をＭＳに伝送して、新しいセルをアクティブ集合に追加する。１４ｊ段階でＭＳは、前記拡張型／ユニバーサルハンドオフ指示メッセージを受信したことを承認するＭＳアクノリッジメントオーダーメッセージをソース基地局システムに伝送する。１４ｋ段階でＭＳは、ハンドオフ完了(Handoff Completion)メッセージをソース基地局システムに伝送して、前記拡張型／ユニバーサルハンドオフ指示メッセージの成功的な処理を通報する。１４ｌ段階でソース基地局システムは、前記ハンドオフ完了メッセージを受信したことを承認するＢＳアクノリッジメントオーダーメッセージをＭＳに伝送する。１４ｍ段階でソース基地局システムは、ハンドオフ遂行完了(Handoff Performed)メッセージをＭＳＣに伝送するが、前記基地局システムはハンドオフ完了メッセージの受信後のいつでも前記ハンドオフ遂行完了メッセージを伝送することができる。
【００９３】
図１５は、本発明によるソフト／ソフタハンドオフ削除(Soft/Softer Handoff Removal)の手順を示す。前記の手順によると、ＵＨＤＭを支援し、ソース基地局システムと対象基地局システムとの間で順方向／逆方向ＤＣＣＨフレームを伝送し、ＤＴＸモードを支援するために、既存のＡ３-ＦＣＨ順方向メッセージとＡ３-ＦＣＨ逆方向メッセージを、それぞれＡ３-ＦＣＨ／ＤＣＣＨ順方向メッセージとＡ３-ＦＣＨ／ＤＣＣＨ逆方向メッセージに拡張する。
【００９４】
図１５を参照すると、１５ａ段階でソース基地局システムは、アクティブ集合から１つまたは幾つかのセルを落とすために、本発明の実施形態によるＡ３-ＦＣＨ／ＤＣＣＨ順方向メッセージの中の拡張型／ユニバーサルハンドオフ指示メッセージ(Ext./Univ. HO Dir. Msg.: Extended/Universal Handoff Direction Message)をカプセル化して対象基地局システムに伝送する。１５ｂ段階でソース基地局システムと対象基地局システムは、ＭＳに前記拡張型／ユニバーサルハンドオフ指示メッセージを伝送する。
【００９５】
１５ｃ段階でＭＳは、前記拡張型／ユニバーサルハンドオフ指示メッセージを受信したことを承認するＭＳアクノリッジメントオーダーメッセージをソース基地局システムと対象基地局システムとに伝送する。１５ｄ段階で対象基地局システムは、ＭＳから受信した前記ＭＳアクノリッジメントオーダーメッセージをＡ３-ＦＣＨ／ＤＣＣＨ逆方向メッセージに乗せてソース基地局システムに伝送する。１５ｅ段階でＭＳは、ハンドオフ完了(Handoff Completion)メッセージをソース基地局システムに伝送することによって拡張型／ユニバーサルハンドオフ指示メッセージの成功的な処理を通報する。１５ｆ段階でソース基地局システムは、前記ハンドオフ完了メッセージを受信したことを承認するＢＳアクノリッジメントオーダーメッセージをＭＳに伝送する。
前記のように、本発明では、ソース基地局システムと対象基地局システムとの間に順方向／逆方向ＤＣＣＨフレームを伝送し、ＤＴＸモードを支援するために、既存のＡ３-ＦＣＨ順方向メッセージとＡ３-ＦＣＨ逆方向メッセージを、それぞれＡ３-ＦＣＨ／ＤＣＣＨ順方向メッセージとＡ３-ＦＣＨ／ＤＣＣＨ逆方向メッセージに定義する。本発明の実施形態によって新しく定義されたＡ３-ＦＣＨ／ＤＣＣＨ順方向メッセージとＡ３-ＦＣＨ／ＤＣＣＨ逆方向メッセージは、＜表１３＞乃至＜表１７＞に示されたフィールドを持つ情報要素を含む。＜表１３＞は、本発明によるＡ３-ＦＣＨ／ＤＣＣＨ順方向メッセージに含まれる順方向階層３データの情報要素を示す。＜表１４＞乃至＜表１７＞は、本発明によるＡ３-ＦＣＨ／ＤＣＣＨ逆方向メッセージに含まれる逆方向階層３データの情報要素を示す。
【００９６】
【表１３】
0004422348.tif 000014
【００９７】
＜表１３＞を参照すると、順方向階層３データの情報要素の中で順方向トラフィックチャネルレート情報は、＜表１＞と比較して、下線で表記されたナルフレームフィールドをさらに指定している。もし、このフィールドがナルフレームを指定していると、つまり、フィールド値が“０１０１”であると、ＢＴＳは無線フレームを伝送しなくて、電力制御に関連したフィールドを除いた全ての他の情報要素は無視する。
【００９８】
【表１４】
0004422348.tif 000015
【００９９】
＜表１４＞を参照すると、逆方向階層３データの情報要素の中で逆方向トラフィック品質情報は、＜表７＞と比較して、下線で表記されたナルフレームフィールドをさらに指定している。ＢＴＳがＳＤＵ機能部から最近受信した順方向フレームがナルフレームであると、ＢＴＳは逆方向トラフィックチャネル品質フィールドを‘００Ｈ’に設定して、ＢＳＣ−ＳＤＵ機能部で該当値を無視することができるようにする。
【０１００】
【表１５】
0004422348.tif 000016
【０１０１】
＜表１５＞を参照すると、逆方向階層３データの情報要素の中で逆方向トラフィックチャネルレート情報は、＜表１０＞と比較して、下線で表記されたナルフレームフィールドをさらに指定している。ＢＴＳがＭＳから何のフレームも受信していない状態でＭＳを捕捉している場合は、フィールド値を‘０１１１’に指定することによってナルフィールドを設定する。
【０１０２】
【表１６】
0004422348.tif 000017
【０１０３】
＜表１６＞を参照すると、逆方向階層３データの情報要素の中で逆方向トラフィックチャネル情報は、＜表１１＞と比較して、下線で表記されたナルフレームフィールドをさらに指定している。ナルフレームが伝送されている間に、ＢＴＳにはＭＳから受信したフレームがないので、各フレームに入るべき情報はなく、前記ナルフィールドが指定できる。
【０１０４】
【表１７】
0004422348.tif 000018
【０１０５】
＜表１７＞を参照すると、逆方向階層３データの情報要素の中で階層３フィル情報は、＜表１２＞と比較して、下線で表記されたナルフレームフィールドをさらに指定している。ナルフレームを伝送している間に、ＢＴＳにはＭＳから受信したフレームがないので、各フレームに入るべき階層３フィル情報はなく、前記ナルフィールドが指定できる。
【０１０６】
＜表１３＞乃至＜表１７＞に示されたような定義によって、順方向では、ＢＳＣ−ＳＤＵ機能部からＢＴＳに伝送するデータがない場合、電力制御のためのフィールドのみを使用して電力制御をする。逆方向では、ＭＳの捕捉状態(専用コードチャネルが割り当てて、同期化している状態)で、ナルフレーム以前の状態と同じ方式で電力制御が遂行できる。従って、物理チャネルのＤＴＸモード動作を支援することができる。
【０１０７】
【発明の効果】
前述してきたように、本発明は、移動通信システムの基地局システムで、既存には考慮しなかった不連続伝送モード及び専用制御チャネルを考慮することによって、不連続伝送モードでも基地局と基地局制御器との間の専用制御チャネルを通した信号の送受信ができる効果がある。
【０１０８】
一方、前記本発明の詳細な説明では具体的な実施形態を挙げて説明してきたが、本発明の範囲内で様々な変形が可能であるということは勿論である。従って、本発明の範囲は前記実施形態によって限られてはいけなく、特許請求の範囲とそれに均等なものによって定められるべきである。
【図面の簡単な説明】
【図１】  通常的なパケットサービスのための移動通信システムの状態遷移図である。
【図２】  通常的な移動通信システムのＭＳＣと基地局システム、基地局システムと基地局システムとの間のディジタルエアインターフェース(Digital Air Interface)に対する３Ｇ ＩＯＳ(Interoperability Specifications)の参照モデル(Reference Model)を示す図である。
【図３】  図２のＢＳＣからＢＴＳに基本チャネル(ＦＣＨ)形態の使用者トラフィックサブチャネルを通して伝送されるメッセージのフォーマットを示す図である。
【図４】  図３示されたＦＣＨ順方向メッセージの情報要素の詳細図である。
【図５】  図２のＢＴＳからＢＳＣに基本チャネル形態の使用者トラフィックサブチャネルを通して伝送されるメッセージのフォーマットを示す図である。
【図６】  図５示されたＦＣＨ逆方向メッセージの情報要素の詳細図である。
【図７】  従来技術によるソフト／ソフタハンドオフの追加手順を示す図である。
【図８】  従来技術によるソフト／ソフタハンドオフの削除手順を示す図である。
【図９】  本発明によるＢＴＳとＢＳＣとの間のＤＣＣＨ信号送受信の手順を示す図である。
【図１０】  本発明によるＤＣＣＨ逆方向メッセージの送信動作の手順を示すフローチャートで、ＢＴＳが、ＭＳから予め設定された周期で受信したフレームをＤＣＣＨ逆方向メッセージとしてＢＳＣ−ＳＤＵ機能部に伝送する処理手順を示す。
【図１１】  本発明によるＤＣＣＨ順方向メッセージ送信動作の処理手順を示すフローチャートで、ＢＳＣ−ＳＤＵ機能部が、予め設定された周期でＤＣＣＨ順方向メッセージをＢＴＳに伝送する処理手順を示す。
【図１２】  本発明によるＤＣＣＨ逆方向メッセージ受信動作の処理手順を示すフローチャートで、ＢＳＣ−ＳＤＵ機能部が、ＢＴＳから予め設定された周期で受信されたＤＣＣＨ逆方向メッセージを受信して処理する手順を示す。
【図１３】  本発明によるＤＣＣＨ順方向メッセージ受信処理手順を示すフローチャートで、ＢＴＳがＢＳＣ−ＳＤＵ機能部から予め設定された周期で受信されたＤＣＣＨ順方向メッセージを受信して処理する手順を示す。
【図１４】  本発明によるソフト／ソフタハンドオフ追加手順を示す図である。
【図１５】  本発明によるソフト／ソフタハンドオフ削除手順を示す図である。
【符号の説明】
２０……交換器
２２……呼制御及び移動管理ブロック
２４……スイッチ
３０……ソース基地局システム
３２，４２……基地局制御器
３４……フレーム選択／分配機能部
３６，４４……基地局
４０……対象基地局システム
【図１】
0004422348.tif 000019
【図２】
0004422348.tif 000020
【図３】
0004422348.tif 000021
【図４】
0004422348.tif 000022
【図５】
0004422348.tif 000023
【図６】
0004422348.tif 000024
【図７】
0004422348.tif 000025
【図８】
0004422348.tif 000026
【図９】
0004422348.tif 000027
【図１０Ａ】
0004422348.tif 000028
【図１０Ｂ】
0004422348.tif 000029
【図１１Ａ】
0004422348.tif 000030
【図１１Ｂ】
0004422348.tif 000031
【図１２】
0004422348.tif 000032
【図１３】
0004422348.tif 000033
【図１４】
0004422348.tif 000034
【図１５】
0004422348.tif 000035